(57)【要約】【課題】ダビング後にダビング先の記録媒体においてダビングされたコンテンツの情報が劣化してもコンテンツの情報を視聴可能であり、かつ、コピーワンス問題に抵触することもないような記録再生装置を提供する。【解決手段】ＨＤＤ５が内蔵するハードディスクが有するコンテンツ記録領域にコンテンツの情報が記録された後、該コンテンツの情報が光ディスク２０に記録され、コンテンツの情報がコンテンツ記録領域からハードディスクが有するコンテンツ移動領域へ移動され、オートダビング処理が完了し、光ディスク２０にダビングされたコンテンツの情報の削除実行操作があると、削除対象のコンテンツの情報が光ディスク２０から削除され、削除対象のコンテンツの情報に対応するコンテンツの情報がコンテンツ移動領域からコンテンツ記録領域へ移動され、コンテンツ移動領域の録画領域に占める割合がユーザ操作により設定可能である。【選択図】図１
2008165945.tif 000002
【特許請求の範囲】
【請求項１】
ユーザがアクセスできる第１の記録領域とユーザがアクセスできない第２の記録領域とが設けられた固定型の第１の記録媒体と、
前記第１の記録領域に記録されたコンテンツの情報をリムーバブル型の第２の記録媒体に記録させる第１の記録手段と、
前記第１の記録手段が前記記録をする際に、前記コンテンツの情報を識別するための少なくとも一つのコンテンツ識別情報を前記第２の記録媒体に記録させる第２の記録手段と、
前記第１の記録手段が前記記録をする際に、前記コンテンツの情報を前記第１の記録領域から前記第２の記録領域へ移動させる第１の移動手段と、
前記第１の記録手段が前記記録をする際に、前記コンテンツの情報を識別するための少なくとも一つのコンテンツ識別情報を前記第１の記録媒体に記録させる第３の記録手段と、
前記第２の記録媒体に記録されたコンテンツの情報を削除する削除手段と、
前記削除手段が前記削除をする際に、前記削除手段が削除するコンテンツの情報に対応するコンテンツ識別情報とコンテンツ識別情報が一致するコンテンツの情報を前記第１の記録媒体に設けられた前記第２の記録領域から検索し、検索されたコンテンツの情報を前記第２の記録領域から前記第１の記録領域へ移動させる第２の移動手段と、を備え、
操作手段における操作に応じて前記第２の記録領域の容量の前記第１の記録領域の容量と前記第２の記録領域の容量との和に占める割合を設定する設定手段をさらに備えることを特徴とする記録再生装置。
【請求項２】
ユーザがアクセスできる第１の記録領域とユーザがアクセスできない第２の記録領域とが設けられた固定型の第１の記録媒体と、
前記第１の記録領域に記録されたコンテンツの情報をリムーバブル型の第２の記録媒体に記録させる第１の記録手段と、
前記第１の記録手段が前記記録をする際に、前記コンテンツの情報を識別するための少なくとも一つのコンテンツ識別情報を前記第２の記録媒体に記録させる第２の記録手段と、
前記第１の記録手段が前記記録をする際に、前記コンテンツの情報を前記第１の記録領域から前記第２の記録領域へ移動させる第１の移動手段と、
前記第１の記録手段が前記記録をする際に、前記コンテンツの情報を識別するための少なくとも一つのコンテンツ識別情報を前記第１の記録媒体に記録させる第３の記録手段と、
前記第２の記録媒体に記録されたコンテンツの情報を削除する第１の削除手段と、
前記第１の削除手段が前記削除をする際に、前記第１の削除手段が削除するコンテンツの情報に対応するコンテンツ識別情報とコンテンツ識別情報が一致するコンテンツの情報を前記第１の記録媒体に設けられた前記第２の記録領域から検索し、検索されたコンテンツの情報を前記第２の記録領域から前記第１の記録領域へ移動させる第２の移動手段と、を備え、
前記第１の記録領域に記録されたコンテンツの情報を記録可能な空き容量が前記第２の記録領域に無い場合、前記第２の記録領域から少なくとも一つのコンテンツの情報を削除する第２の削除手段をさらに備えることを特徴とする記録再生装置。
【請求項３】
前記第１の記録媒体に記録されたコンテンツ識別情報に関する条件を選択項目として少なくとも一つ表示手段に表示させるための表示信号を前記表示手段に出力する表示信号出力手段を備え、
前記第２の削除手段は、操作手段における操作により選択された前記コンテンツ識別情報に関する条件に対応するコンテンツの情報を前記第２の記録領域から削除することを特徴とする請求項２に記載の記録再生装置。
【請求項４】
前記第１の記録媒体に記録されたコンテンツ識別情報が表す内容を選択項目として少なくとも一つ表示手段に表示させるための表示信号を前記表示手段に出力する表示信号出力手段を備え、
前記第２の削除手段は、操作手段における操作により選択された前記コンテンツ識別情報が表す内容に対応するコンテンツの情報を前記第２の記録領域から削除することを特徴とする請求項２に記載の記録再生装置。
【請求項５】
ユーザがアクセスできる第１の記録領域とユーザがアクセスできない第２の記録領域とが設けられた固定型の第１の記録媒体と、
前記第１の記録領域に記録されたコンテンツの情報をリムーバブル型の第２の記録媒体に記録させる第１の記録手段と、
前記第１の記録手段が前記記録をする際に、前記コンテンツの情報を識別するための少なくとも一つのコンテンツ識別情報を前記第２の記録媒体に記録させる第２の記録手段と、
前記第１の記録手段が前記記録をする際に、前記コンテンツの情報を前記第１の記録領域から前記第２の記録領域へ移動させる第１の移動手段と、
前記第１の記録手段が前記記録をする際に、前記コンテンツの情報を識別するための少なくとも一つのコンテンツ識別情報を前記第１の記録媒体に記録させる第３の記録手段と、
前記第２の記録媒体に記録されたコンテンツの情報を削除する第１の削除手段と、
前記第１の削除手段が前記削除をする際に、前記第１の削除手段が削除するコンテンツの情報に対応するコンテンツ識別情報とコンテンツ識別情報が一致するコンテンツの情報を前記第１の記録媒体に設けられた前記第２の記録領域から検索し、検索されたコンテンツの情報を前記第２の記録領域から前記第１の記録領域へ移動させる第２の移動手段と、を備え、
前記第１の記録領域に記録されたコンテンツの情報を記録可能な空き容量が前記第２の記録領域に無い場合、前記第１の記録手段と前記第２の記録手段と前記第１の移動手段と前記第３の記録手段とが動作しないことを特徴とする記録再生装置。
【発明の詳細な説明】
【技術分野】
【０００１】
本発明は、コンテンツの情報を一の記録媒体に記録した後、他の記録媒体にダビングする記録再生装置に関するものである。
【背景技術】
【０００２】
記録再生装置には、テレビ番組等のコンテンツの映像や音声等の情報をデジタル放送電波から取得して、ハードディスク等の固定型の記録媒体にデジタル方式で記録し、該コンテンツの情報をＤＶＤ（Digital Versatile Disk）や他の光ディスク等のリムーバブル型の記録媒体にデジタル方式でダビングし、該記録媒体に記録されたコンテンツの情報を再生するものがある。また、例えば下記の特許文献１等に開示されているように、著作権保護のため、１回だけコピーを許可する制限が付されたコピーワンスコンテンツの情報を固定型の記録媒体に記録した後リムーバブル型の記録媒体にダビングする際に、該コピーワンスコンテンツの情報を固定型の記録媒体からリムーバブル型の記録媒体へ移動させるムーブ機能を有したものもある。特許文献１では、コピーワンスコンテンツの情報を固定型の記録媒体からリムーバブル型の記録媒体へ移動するときに、該コピーワンスコンテンツの情報を固定型の記録媒体から削除して、該コピーワンスコンテンツの情報と同じ容量でかつ著作権管理情報等を含んだ仮想ファイルを固定型の記録媒体に作成し、コピーワンスコンテンツの情報をリムーバブル型の記録媒体から固定型の記録媒体へ戻すときに、該コピーワンスコンテンツの情報を固定型の記録媒体の仮想ファイルに記録して、該コピーワンスコンテンツの情報の連続性を保っている。
【特許文献１】特開２００５−３４８０９１号公報
【発明の開示】
【発明が解決しようとする課題】
【０００３】
しかし、上記特許文献１のような従来の記録再生装置では、コピーワンスコンテンツの情報を固定型の記録媒体からリムーバブル型の記録媒体へダビングする際に、該コピーワンスコンテンツの情報を固定型の記録媒体から削除するので、その後リムーバブル型の記録媒体にダビングされたコピーワンスコンテンツの情報が劣化すると、該コピーワンスコンテンツの情報を視聴できなくなる。
【０００４】
上記問題点を鑑み、本発明は、ダビング後にダビング先の記録媒体においてダビングされたコンテンツの情報が劣化してもコンテンツの情報を視聴可能であり、かつ、コピーワンス問題に抵触することもない記録再生装置を提供することを目的とする。
【課題を解決するための手段】
【０００５】
上記目的を達成するために本発明の記録再生装置は、ユーザがアクセスできる第１の記録領域とユーザがアクセスできない第２の記録領域とが設けられた固定型の第１の記録媒体と、
前記第１の記録領域に記録されたコンテンツの情報をリムーバブル型の第２の記録媒体に記録させる第１の記録手段と、
前記第１の記録手段が前記記録をする際に、前記コンテンツの情報を識別するための少なくとも一つのコンテンツ識別情報を前記第２の記録媒体に記録させる第２の記録手段と、
前記第１の記録手段が前記記録をする際に、前記コンテンツの情報を前記第１の記録領域から前記第２の記録領域へ移動させる第１の移動手段と、
前記第１の記録手段が前記記録をする際に、前記コンテンツの情報を識別するための少なくとも一つのコンテンツ識別情報を前記第１の記録媒体に記録させる第３の記録手段と、
前記第２の記録媒体に記録されたコンテンツの情報を削除する削除手段と、
前記削除手段が前記削除をする際に、前記削除手段が削除するコンテンツの情報に対応するコンテンツ識別情報とコンテンツ識別情報が一致するコンテンツの情報を前記第１の記録媒体に設けられた前記第２の記録領域から検索し、検索されたコンテンツの情報を前記第２の記録領域から前記第１の記録領域へ移動させる第２の移動手段と、を備え、
操作手段における操作に応じて前記第２の記録領域の容量の前記第１の記録領域の容量と前記第２の記録領域の容量との和に占める割合を設定する設定手段をさらに備えることを特徴としている。
【０００６】
このような構成によれば、第１の記録媒体から第２の記録媒体へのコンテンツ情報のダビング後、第２の記録媒体にダビングされたコンテンツの情報が劣化しても、該コンテンツの情報を削除することで対応するコンテンツの情報が第１の記録媒体においてユーザがアクセス可能な第１の記録領域に復活するので、コンテンツの情報を視聴することができる。また、ユーザがアクセス可能なコンテンツの情報は常に第１の記録媒体における第１の記録領域か第２の記録媒体のいずれかにのみ存在することとなるので、コピーワンス問題に抵触することもない。また、設定手段を設けたことにより、ユーザの使用用途に従った第１の記録媒体における領域設定が可能となる。
【０００７】
また、本発明の記録再生装置は、ユーザがアクセスできる第１の記録領域とユーザがアクセスできない第２の記録領域とが設けられた固定型の第１の記録媒体と、
前記第１の記録領域に記録されたコンテンツの情報をリムーバブル型の第２の記録媒体に記録させる第１の記録手段と、
前記第１の記録手段が前記記録をする際に、前記コンテンツの情報を識別するための少なくとも一つのコンテンツ識別情報を前記第２の記録媒体に記録させる第２の記録手段と、
前記第１の記録手段が前記記録をする際に、前記コンテンツの情報を前記第１の記録領域から前記第２の記録領域へ移動させる第１の移動手段と、
前記第１の記録手段が前記記録をする際に、前記コンテンツの情報を識別するための少なくとも一つのコンテンツ識別情報を前記第１の記録媒体に記録させる第３の記録手段と、
前記第２の記録媒体に記録されたコンテンツの情報を削除する第１の削除手段と、
前記第１の削除手段が前記削除をする際に、前記第１の削除手段が削除するコンテンツの情報に対応するコンテンツ識別情報とコンテンツ識別情報が一致するコンテンツの情報を前記第１の記録媒体に設けられた前記第２の記録領域から検索し、検索されたコンテンツの情報を前記第２の記録領域から前記第１の記録領域へ移動させる第２の移動手段と、を備え、
前記第１の記録領域に記録されたコンテンツの情報を記録可能な空き容量が前記第２の記録領域に無い場合、前記第２の記録領域から少なくとも一つのコンテンツの情報を削除する第２の削除手段をさらに備えることを特徴としている。
【０００８】
このような構成によれば、第１の記録媒体から第２の記録媒体へのダビングの際に第２の記録領域に第１の記録領域からコンテンツの情報を移動させる空き領域が無い場合でも、第２の記録領域から記録済みのコンテンツの情報が削除されるので移動させることが可能となり、ダビング後第１の記録領域にコンテンツを復活させることもできる。
【０００９】
また、本発明の記録再生装置は上記構成において、前記第１の記録媒体に記録されたコンテンツ識別情報に関する条件を選択項目として少なくとも一つ表示手段に表示させるための表示信号を前記表示手段に出力する表示信号出力手段を備え、
前記第２の削除手段は、操作手段における操作により選択された前記コンテンツ識別情報に関する条件に対応するコンテンツの情報を前記第２の記録領域から削除することを特徴としている。
【００１０】
また、本発明の記録再生装置は上記構成において、前記第１の記録媒体に記録されたコンテンツ識別情報が表す内容を選択項目として少なくとも一つ表示手段に表示させるための表示信号を前記表示手段に出力する表示信号出力手段を備え、
前記第２の削除手段は、操作手段における操作により選択された前記コンテンツ識別情報が表す内容に対応するコンテンツの情報を前記第２の記録領域から削除することを特徴としている。
【００１１】
このような構成によれば、ユーザが削除を所望するコンテンツの情報を第２の記録領域から削除することができる。
【００１２】
また、本発明の記録再生装置は、ユーザがアクセスできる第１の記録領域とユーザがアクセスできない第２の記録領域とが設けられた固定型の第１の記録媒体と、
前記第１の記録領域に記録されたコンテンツの情報をリムーバブル型の第２の記録媒体に記録させる第１の記録手段と、
前記第１の記録手段が前記記録をする際に、前記コンテンツの情報を識別するための少なくとも一つのコンテンツ識別情報を前記第２の記録媒体に記録させる第２の記録手段と、
前記第１の記録手段が前記記録をする際に、前記コンテンツの情報を前記第１の記録領域から前記第２の記録領域へ移動させる第１の移動手段と、
前記第１の記録手段が前記記録をする際に、前記コンテンツの情報を識別するための少なくとも一つのコンテンツ識別情報を前記第１の記録媒体に記録させる第３の記録手段と、
前記第２の記録媒体に記録されたコンテンツの情報を削除する第１の削除手段と、
前記第１の削除手段が前記削除をする際に、前記第１の削除手段が削除するコンテンツの情報に対応するコンテンツ識別情報とコンテンツ識別情報が一致するコンテンツの情報を前記第１の記録媒体に設けられた前記第２の記録領域から検索し、検索されたコンテンツの情報を前記第２の記録領域から前記第１の記録領域へ移動させる第２の移動手段と、を備え、
前記第１の記録領域に記録されたコンテンツの情報を記録可能な空き容量が前記第２の記録領域に無い場合、前記第１の記録手段と前記第２の記録手段と前記第１の移動手段と前記第３の記録手段とが動作しないことを特徴としている。
【００１３】
このような構成によれば、第２の記録領域に第１の記録領域からコンテンツの情報を移動させる空き領域が無い場合、ダビング処理を中断することができる。
【発明の効果】
【００１４】
本発明の記録再生装置によれば、ダビング後にダビング先の記録媒体においてダビングされたコンテンツの情報が劣化してもコンテンツの情報を視聴可能であり、かつ、コピーワンス問題に抵触することもない。
【発明を実施するための最良の形態】
【００１５】
以下、本発明の実施形態について図面を参照し説明する。
【００１６】
図１は、本発明に係る記録再生装置１０のブロック図である。記録再生装置１０は、ハードディスクレコーダと光ディスクレコーダと外部メモリリーダライタの機能を有する複合型のデジタルＡＶ機器である。制御部１は、ＣＰＵとＲＯＭやＲＡＭ等のメモリとタイマ等から構成されている。メモリ２は、ＲＯＭ、ＲＡＭ、および不揮発性メモリ等から構成されている。制御部１は、内蔵するメモリとメモリ２に記憶されたプログラムとデータに基づいて、記録再生装置１０の各部を制御する。また、制御部１は、内蔵するタイマにより日時をカウントする。
【００１７】
信号処理部３は、ＭＰＥＧ（Moving Picture Experts Group）符号化・復号回路およびデジタル・アナログ変換回路等から構成されている。チューナ４は、放送局から放送されたデジタル放送の放送電波を、アンテナ１３を介して受信する回路等から構成されている。チューナ４は、受信した放送電波から各チャンネルのテレビ番組のコンテンツの映像や音声等の情報（コンテンツの実体を示す情報）を抽出して、信号処理部３へ出力する。外部から取得するコンテンツの情報としては、上記放送電波から取得したコンテンツの情報以外に、例えば記録再生装置１０とケーブル等で接続された他のＡＶ機器から送信されるコンテンツの情報等もある。信号処理部３は、チューナ４等から入力されたコンテンツの情報を処理して、アナログの映像信号と音声信号を生成し、テレビ（テレビジョン受像機）４０へ出力する。また、信号処理部３は、ＯＳＤ（On Screen Display）機能によりアナログの映像信号を生成しテレビ４０へ出力もする。
【００１８】
ＨＤＤ（Hard Disk Drive）５は、内蔵するハードディスクに対してコンテンツの情報等を読み書きする。光ディスクドライブ６は、ＤＶＤ（Digital Versatile Disk）やブルーレイディスク（Blu-ray Disc；登録商標）等の光ディスク２０に対してコンテンツの情報等を読み書きする。メモリインタフェイス７は、ＳＤ（Secure Digital）メモリカードやＵＳＢ（UniversalSerial Bus）メモリ等の外部メモリ３０に対してコンテンツの情報等を読み書きする。制御部１は、ＨＤＤ５、光ディスク２０、または外部メモリ３０に対する情報の読み書きと削除を制御する。ＨＤＤ５、光ディスクドライブ６、およびメモリインタフェイス７は、記録再生装置１０の本体に内蔵されている。
【００１９】
チューナ４が出力したコンテンツの情報を信号処理部３が処理してトランスポートストリームを生成し、生成されたトランスポートストリームをＨＤＤ５はハードディスクに記録できる。このような録画をＴＳ（Transport  Stream）録画という。ＴＳ録画されたコンテンツの情報の画質は最も高く、ＴＳ画質という。
【００２０】
また、チューナ４が出力したコンテンツの情報を信号処理部３が処理してＭＰＥＧ圧縮されたデジタル情報を生成し、生成されたデジタル情報をＨＤＤ５がハードディスクに記録することもできる。このような録画をＰＳ（Program Stream）録画という。ＰＳ録画されたコンテンツの情報の画質はＴＳ画質よりも低い。
【００２１】
また、このようにハードディスクに記録されたコンテンツの情報がＨＤＤ５により読み出され、読み出されたコンテンツの情報を信号処理部３が処理してＭＰＥＧ圧縮されたデジタル情報を生成し、生成されたデジタル情報を光ディスクドライブ６が光ディスク２０に記録することにより、ダビングが行われる。
【００２２】
また、ＨＤＤ５がハードディスクから読み出したコンテンツの情報、および光ディスクドライブ６が光ディスク２０から読み出したコンテンツの情報を信号処理部３が処理してアナログの映像信号および音声信号を生成し、生成された映像信号および音声信号をテレビ４０に出力する。
【００２３】
テレビ４０は、記録再生装置１０とケーブル等で接続されている。テレビ４０は、信号処理部３から入力された映像信号に基づく映像をディスプレイに表示し、信号処理部３から入力された音声信号に基づく音声をスピーカから出力する。表示部８には、記録再生装置１０の動作状態や時間等が表示される。操作部９は、記録再生装置１０の本体前面に設けられた各種のキー等から構成されている。リモコン（リモートコントローラ）１２には、各種のキーが設けられている。リモコン受信部１１は、リモコン１２から送信された信号を受信する。リモコン１２や操作部９のキーを操作することで、記録再生装置１０に各種の動作指示をすることができる。
【００２４】
図２は、ＨＤＤ５に内蔵されるハードディスクの録画領域を示す図である。ハードディスクには、コンテンツ記録領域５ｂとコンテンツ移動領域５ｃが設けられている。録画領域５ａの大半をコンテンツ記録領域５ｂが占め、残りの一部をコンテンツ移動領域５ｃが占めている。コンテンツ記録領域５ｂは、ＴＳ録画やＰＳ録画によりコンテンツの情報が記録される領域であり、ユーザがリモコン１２のキー操作等の通常の方法によりアクセスすることができる領域である。また、コンテンツ移動領域５ｃは、後述するようにハードディスクから光ディスク２０へのダビング時にコンテンツ記録領域５ｂからダビング対象コンテンツが移動される領域であり、ユーザが通常の方法によりアクセスすることができない領域である。また、後述するようにコンテンツ移動領域５ｃの録画領域５ａに占める割合はユーザ設定により可変となっている。
【００２５】
次に、以上のような構成である本発明に係る記録再生装置１０の動作について以下説明する。
【００２６】
記録再生装置１０において工場出荷後初回の電源投入がされると、信号処理部３のＯＳＤ機能によりテレビ４０に図３のような画面が表示される。本画面には、「ＴＳ録画のみ」「ＴＳ録画中心」「ＰＳ録画のみ」「ＰＳ録画中心」という選択項目が並んで表示される。「ＴＳ録画のみ」は、ハードディスクにＴＳ録画することがユーザの使用用途のほとんどであることを意味する。また、「ＴＳ録画中心」は、ハードディスクにＴＳ録画することがユーザの使用用途の大部分であるが、ハードディスクから光ディスク２０へのダビングもある程度行うことを意味する。また、「ＰＳ録画のみ」は、ハードディスクにＰＳ録画することがユーザの使用用途のほとんどであることを意味する。また、「ＰＳ録画中心」は、ハードディスクにＰＳ録画することがユーザの使用用途の大部分であるが、ハードディスクから光ディスク２０へのダビングもある程度行うことを意味する。
【００２７】
ユーザがリモコン１２の操作により自分の使用用途に適合する選択項目の隣に図３で示されるような黒塗りの円を移動させ、決定操作を行うと、制御部１は、選択された選択項目に応じて前述したコンテンツ移動領域５ｃの録画領域５ａに占める割合を設定する。
【００２８】
「ＴＳ録画中心」の場合は、「ＴＳ録画のみ」の場合よりもダビングの頻度が高いのでコンテンツ移動領域５ｃをより大きく確保する必要がある。また、ＰＳ録画はＴＳ録画よりも録画レートが低いためコンテンツ記録領域５ｂも少ない容量でよく、「ＰＳ録画のみ」および「ＰＳ録画中心」の場合は、「ＴＳ録画のみ」および「ＴＳ録画中心」の場合よりもコンテンツ移動領域５ｃを大きく確保する。「ＰＳ録画中心」の場合は、「ＰＳ録画のみ」の場合よりもダビングの頻度が高いのでコンテンツ移動領域５ｃをより大きく確保する必要がある。これにより、例えば、コンテンツ移動領域５ｃの録画領域５ａに占める割合は、「ＴＳ録画のみ」で１％、「ＴＳ録画中心」で２％、「ＰＳ録画のみ」で５％、「ＰＳ録画中心」で１０％と設定すればよい。
【００２９】
これにより、ユーザの使用用途に従って録画領域５ａにおける領域配分をすることが可能となる。なお、工場出荷後初回電源投入時に限らず、記録再生装置１０の使用中にユーザによるリモコン１２の操作により図３のような画面が表示され、上記と同様にコンテンツ移動領域５ｃの録画領域５ａに占める割合を設定できるようにしてもよい。
【００３０】
次に、本発明に係るオートダビング処理について説明する。図４は、記録再生装置１０で実行されるオートダビング処理に関するフローチャートである。
【００３１】
オートダビング処理は、コンテンツの情報をタイマ録画によりハードディスクに録画した後、光ディスク２０に自動的にダビングする処理である。まず、ステップＳ１で、タイマ録画によりコンテンツの情報がＴＳ録画でハードディスク上のコンテンツ記録領域５ｂに正常に録画されると、ステップＳ２に進む。
【００３２】
ステップＳ２で、制御部１は、ハードディスク上のコンテンツ移動領域５ｃにダビング対象のコンテンツの情報を記録可能な空き容量があるか否かを判定し、もし空き容量があれば（ステップＳ２のＹ）、ステップＳ７に進む。ダビング対象のコンテンツの情報とは、ステップＳ１でハードディスクに録画されたコンテンツの情報である。
【００３３】
ステップＳ７で、ダビング対象のコンテンツの情報がＨＤＤ５によりコンテンツ記録領域５ｂから読み出され、読み出されたコンテンツの情報を信号処理部３が処理してＭＰＥＧ圧縮されたデジタル情報を生成し、生成されたデジタル情報を光ディスクドライブ６が光ディスク２０（例えば、ＤＶＤ−ＲＷ）のコンテンツ記録領域に記録することにより、ダビングが行われる。また、このとき、コンテンツ識別情報であるタイトル名情報、録画日時情報およびオートダビング実行日時情報が光ディスクドライブ６により光ディスク２０の属性記録領域に記録される。
【００３４】
タイトル名情報は、コンテンツの情報に含まれている。録画日時情報は、ステップＳ１でのハードディスクへの録画の録画日時を表し、日付情報、録画開始時刻情報、録画終了時刻情報から成り、制御部１が内蔵するタイマにより検出して、メモリ２に記憶する。オートダビング実行日時情報は、ステップＳ１でのハードディスクへの録画が終了した日時を表し、制御部１が内蔵するタイマにより検出して、メモリ２に記憶する。
【００３５】
そして、ステップＳ８で、ＨＤＤ５が、ダビング対象のコンテンツの情報をコンテンツ記録領域５ｂからコンテンツ移動領域５ｃへ移動させる。
【００３６】
次に、ステップＳ９で、ＨＤＤ５は、光ディスク２０に記録されたタイトル名情報、録画日時情報およびオートダビング実行日時情報と同一のタイトル名情報、録画日時情報およびオートダビング実行日時情報をハードディスクに記録して、処理が終了する。このようにオートダビング処理が終了すると、光ディスク２０のコンテンツ記録領域およびハードディスクのコンテンツ移動領域５ｃに同一のコンテンツの情報が記録された状態となる。ユーザはコンテンツ移動領域５ｃに記録されたコンテンツの情報にアクセスすることができないため、ユーザが視聴できるのは光ディスク２０にダビングされたコンテンツの情報だけである。
【００３７】
また、ステップＳ２で、制御部１が、コンテンツ移動領域５ｃにダビング対象のコンテンツの情報を記録可能な空き容量があるか否かを判定し、もし空き容量がなければ（ステップＳ２のＮ）、ステップＳ３に進む。ステップＳ３で、制御部１は、コンテンツ移動領域５ｃにコンテンツの情報が記録されているか否かを判定し、もし記録されている場合（ステップＳ３のＹ）、ステップＳ４に進む。
【００３８】
ステップＳ４で、信号処理部３はＯＳＤ機能によりテレビ４０に図５のような画面を表示させる。本画面では、コンテンツ移動領域５ｃにコンテンツの情報を移動できない旨、コンテンツ移動領域５ｃから削除するコンテンツを選択するよう指示する旨、および選択項目が表示される。選択項目としては、「録画日時が１ヶ月前以前のコンテンツ」「録画日時が１週間前以前のコンテンツ」「録画日時が３日前以前のコンテンツ」「すべてのコンテンツ」が表示される。
【００３９】
ここで、ユーザがリモコン１２の操作により、例えば「録画日時が１ヶ月前以前のコンテンツ」の選択項目の隣に図５で示されるような黒塗りの円を移動させ、決定操作を行うと、制御部１は、タイマにより検出される現在時刻とハードディスクに記録された録画日時情報が表す録画開始日時（録画終了日時でもよい）とを比較し、録画開始日時（または録画終了日時）が現在時刻の１ヶ月前以前であるコンテンツの情報を検索し、検索されたコンテンツの情報をコンテンツ移動領域５ｃから削除するようＨＤＤ５に指示し、ＨＤＤ５がコンテンツ移動領域５ｃからコンテンツの情報を削除する（ステップＳ５）。「録画日時が１週間前以前のコンテンツ」「録画日時が３日前以前のコンテンツ」が選択された場合も同様である。また、「すべてのコンテンツ」がユーザ操作により選択された場合は、制御部１は、コンテンツ移動領域５ｃに記録されたすべてのコンテンツの情報を削除するようＨＤＤ５に指示し、ＨＤＤ５がコンテンツ移動領域５ｃからすべてのコンテンツの情報を削除する（ステップＳ５）。
【００４０】
また、ステップＳ４では、信号処理部３がＯＳＤ機能により、図５の画面において「録画日時」を「オートダビング実行日時」に置き換えた画面をテレビ４０に表示させるようにしてもよい。この場合、ユーザ操作により画面上から３つ目までの選択項目のいずれかが選択されると、制御部１は、タイマによる検出される現在時刻とハードディスクに記録されたオートダビング実行日時情報が表す日時との比較に基づき、選択された選択項目の条件に該当するコンテンツの情報を検索し、検索されたコンテンツの情報をコンテンツ移動領域５ｃから削除するようＨＤＤ５に指示し、ＨＤＤ５がコンテンツ移動領域５ｃからコンテンツの情報を削除する（ステップＳ５）。
【００４１】
また、ステップＳ４では、ハードディスクに記録されたタイトル名情報に基づき、信号処理部３がＯＳＤ機能によりテレビ４０に図６に示すような画面を表示させるようにしてもよい。本画面では、コンテンツ移動領域５ｃに記録されたコンテンツの情報に対応するタイトル名が数字と共に一覧表示される。ここで、ユーザがリモコン１２において数字キーを入力すると、制御部１は、入力された数字キーの数字に対応するタイトル名のコンテンツの情報をコンテンツ移動領域５ｃから削除するようＨＤＤ５に指示し、ＨＤＤ５がコンテンツ移動領域５ｃからコンテンツの情報を削除する（ステップＳ５）。
【００４２】
また、ステップＳ４では、ハードディスクに記録された録画日時情報に基づき、信号処理部３がＯＳＤ機能によりテレビ４０に図７に示すような画面を表示させるようにしてもよい。本画面では、コンテンツ移動領域５ｃに記録されたコンテンツの情報に対応する録画日時が数字と共に一覧表示される。ここで、ユーザがリモコン１２において数字キーを入力すると、制御部１は、入力された数字キーの数字に対応する録画日時に対応するコンテンツの情報をコンテンツ移動領域５ｃから削除するようＨＤＤ５に指示し、ＨＤＤ５がコンテンツ移動領域５ｃからコンテンツの情報を削除する（ステップＳ５）。
【００４３】
また、ステップＳ４では、ハードディスクに記録されたオートダビング実行日時情報に基づき、信号処理部３がＯＳＤ機能により、図７に示すような画面において「録画日時」という文字列を「オートダビング実行日時」に置き換え、録画日時の表示をオートダビング実行日時の表示に置き換えたような画面を表示させるようにしてもよい。ここで、ユーザがリモコン１２において数字キーを入力すると、制御部１は、入力された数字キーの数字に対応するオートダビング実行日時に対応するコンテンツの情報をコンテンツ移動領域５ｃから削除するようＨＤＤ５に指示し、ＨＤＤ５がコンテンツ移動領域５ｃからコンテンツの情報を削除する（ステップＳ５）。
【００４４】
ステップＳ５の後、ステップＳ６で、ＨＤＤ５は、ステップＳ５でコンテンツ移動領域５ｃから削除されたコンテンツの情報に対応するタイトル名情報、録画日時情報およびオートダビング日時情報をハードディスクから削除する。そして、再びステップＳ２に戻る。
【００４５】
コンテンツ移動領域５ｃに何も記録されていない状態からステップＳ１、Ｓ２、Ｓ７、Ｓ８、Ｓ９が繰り返され、コンテンツ移動領域５ｃにある程度コンテンツの情報が記録され、次にオートダビング処理をしようとしてコンテンツ移動領域５ｃに今回ダビング対象のコンテンツの情報を移動させる空き容量がないような場合でも（ステップＳ２のＮ）、コンテンツ移動領域５ｃから削除するコンテンツの情報をユーザが画面上で選択でき、選択されたコンテンツの情報がコンテンツ移動領域５ｃから削除され、コンテンツ移動領域５ｃに今回ダビング対象のコンテンツの情報を移動させる空き容量ができれば（ステップＳ２のＹ）、オートダビング処理を完了させることができる。
【００４６】
また、ステップＳ３で、制御部１が、コンテンツ移動領域５ｃにコンテンツの情報が記録されているか否かを判定し、もし記録されていなければ（ステップＳ３のＮ）、ダビングはされずにオートダビング処理が中断される。これにより、コンテンツ移動領域５ｃの容量よりも大きな容量のコンテンツの情報をダビングしようとする場合はダビングされない。
【００４７】
次に、本発明に係るムーブ処理について説明する。図８は、記録再生装置１０で実行されるムーブ処理に関するフローチャートである。
【００４８】
ムーブ処理は、予めハードディスクに録画されたコンテンツの情報がユーザ操作により選択後、光ディスク２０にダビングする処理である。まず、ステップＳ１１で、予めハードディスク上のコンテンツ記録領域５ｂにＴＳ録画により録画されたコンテンツの情報がリモコン１２のユーザ操作により選択され、リモコン１２においてムーブ処理開始操作がされると、ステップＳ１２に進む。
【００４９】
ステップＳ１２で、制御部１は、ハードディスク上のコンテンツ移動領域５ｃにダビング対象のコンテンツの情報を記録可能な空き容量があるか否かを判定し、もし空き容量があれば（ステップＳ１２のＹ）、ステップＳ１７に進む。ダビング対象のコンテンツの情報とは、ステップＳ１１でユーザ操作により選択されたコンテンツの情報である。
【００５０】
ステップＳ１７で、ダビング対象のコンテンツの情報がＨＤＤ５によりコンテンツ記録領域５ｂから読み出され、読み出されたコンテンツの情報を信号処理部３が処理してＭＰＥＧ圧縮されたデジタル情報を生成し、生成されたデジタル情報を光ディスクドライブ６が光ディスク２０のコンテンツ記録領域に記録することにより、ダビングが行われる。また、このとき、コンテンツ識別情報であるタイトル名情報、録画日時情報およびムーブ実行日時情報が光ディスクドライブ６により光ディスク２０の属性記録領域に記録される。
【００５１】
タイトル名情報は、コンテンツの情報に含まれている。録画日時情報は、ステップＳ１１でユーザ操作により選択されたコンテンツの情報のハードディスクへの録画日時を表し、日付情報、録画開始時刻情報、録画終了時刻情報から成り、制御部１が内蔵するタイマにより検出して、メモリ２に記憶する。ムーブ実行日時情報は、ステップＳ１１でムーブ処理開始操作がされたときの日時を表し、制御部１が内蔵するタイマにより検出して、メモリ２に記憶する。
【００５２】
そして、ステップＳ１８で、ＨＤＤ５が、ダビング対象のコンテンツの情報をコンテンツ記録領域５ｂからコンテンツ移動領域５ｃへ移動させる。
【００５３】
次に、ステップＳ１９で、ＨＤＤ５は、光ディスク２０に記録されたタイトル名情報、録画日時情報およびムーブ実行日時情報と同一のタイトル名情報、録画日時情報およびムーブ実行日時情報をハードディスクに記録して、処理が終了する。このようにムーブ処理が終了すると、光ディスク２０のコンテンツ記録領域およびハードディスクのコンテンツ移動領域５ｃに同一のコンテンツの情報が記録された状態となる。ユーザはコンテンツ移動領域５ｃに記録されたコンテンツの情報にアクセスすることができないため、ユーザが視聴できるのは光ディスク２０にダビングされたコンテンツの情報だけである。
【００５４】
また、ステップＳ１２で、制御部１が、コンテンツ移動領域５ｃにダビング対象のコンテンツの情報を記録可能な空き容量があるか否かを判定し、もし空き容量がなければ（ステップＳ１２のＮ）、ステップＳ１３に進む。ステップＳ１３で、制御部１は、コンテンツ移動領域５ｃにコンテンツの情報が記録されているか否かを判定し、もし記録されている場合（ステップＳ１３のＹ）、ステップＳ１４に進む。
【００５５】
ステップＳ１４、Ｓ１５については、前述したステップＳ４、Ｓ５と同様であり、コンテンツ移動領域５ｃから削除するコンテンツの選択項目がテレビ４０に表示され、リモコン１２におけるユーザ操作により選択された選択項目に応じてコンテンツ移動領域５ｃからコンテンツの情報が削除される。ただし、前述したステップＳ４、Ｓ５についての説明中、オートダビング実行日時をムーブ実行日時に置き換えた動作となる。
【００５６】
ステップＳ１５の後、ステップＳ１６で、ＨＤＤ５は、ステップＳ１５でコンテンツ移動領域５ｃから削除されたコンテンツの情報に対応するタイトル名情報、録画日時情報およびムーブ日時情報をハードディスクから削除する。そして、再びステップＳ１２に戻る。
【００５７】
コンテンツ移動領域５ｃに何も記録されていない状態からステップＳ１１、Ｓ１２、Ｓ１７、Ｓ１８、Ｓ１９が繰り返され、コンテンツ移動領域５ｃにある程度コンテンツの情報が記録され、次にムーブ処理をしようとしてコンテンツ移動領域５ｃに今回ダビング対象のコンテンツの情報を移動させる空き容量がないような場合でも（ステップＳ１２のＮ）、コンテンツ移動領域５ｃから削除するコンテンツの情報をユーザが画面上で選択でき、選択されたコンテンツの情報がコンテンツ移動領域５ｃから削除され、コンテンツ移動領域５ｃに今回ダビング対象のコンテンツの情報を移動させる空き容量ができれば（ステップＳ１２のＹ）、ムーブ処理を完了させることができる。
【００５８】
また、ステップＳ１３で、制御部１が、コンテンツ移動領域５ｃにコンテンツの情報が記録されているか否かを判定し、もし記録されていなければ（ステップＳ１３のＮ）、ダビングはされずにムーブ処理が中断される。これにより、コンテンツ移動領域５ｃの容量よりも大きな容量のコンテンツの情報をダビングしようとする場合はダビングされない。
【００５９】
次に、本発明に係るコンテンツ復活処理について説明する。図９は、記録再生装置１０で実行されるコンテンツ復活処理に関するフローチャートである。コンテンツ復活処理は、コンテンツの情報をオートダビング処理またはムーブ処理で光ディスク２０にダビングした後、光ディスク２０から削除する際にＨＤＤ５に復活させる処理である。
【００６０】
まず、ステップＳ２１で、光ディスク２０に記録されたコンテンツの情報がリモコン１２におけるユーザ操作により選択され、リモコン１２において削除実行操作がされると、ステップＳ２２に進む。
【００６１】
ステップＳ２２で、光ディスクドライブ６は、ステップＳ２１で選択された削除対象のコンテンツの情報に対応するタイトル名情報、録画日時情報およびオートダビング実行日時情報（またはムーブ実行日時情報）を光ディスク２０から読み出すことを試み、もし読み出すことができれば（ステップＳ２２のＹ）、ステップＳ２３に進む。一方、読み出しが不可能であれば（ステップＳ２２のＮ）、ステップＳ２８に進み、光ディスクドライブ６は削除対象のコンテンツの情報を光ディスク２０から削除し、処理は終了する。
【００６２】
ステップＳ２３では、光ディスクドライブ６は削除対象のコンテンツの情報と該コンテンツの情報に対応するタイトル名情報、録画日時情報およびオートダビング実行日時情報（またはムーブ実行日時情報）を光ディスク２０から削除する。
【００６３】
次にステップＳ２４で、制御部１は、ステップＳ２２で光ディスク２０から読み出された各コンテンツ識別情報と、ハードディスクに記録されたタイトル名情報、録画日時情報およびオートダビング実行日時情報（またはムーブ実行日時情報）とを比較し、各コンテンツ識別情報が一致するようなコンテンツ移動領域５ｃに記録されたコンテンツの情報を検索し、もしそのようなコンテンツの情報が検索されると（ステップＳ２５のＹ）、ステップＳ２６に進む。一方、検索されなければ（ステップＳ２５のＮ）、処理が終了する。
【００６４】
ステップＳ２６では、ＨＤＤ５が、ステップＳ２４で検索されたコンテンツの情報をコンテンツ移動領域５ｃからコンテンツ記録領域５ｂへ移動させる。そして、ステップＳ２７で、ＨＤＤ５は、ステップＳ２６でコンテンツ記録領域５ｂへ移動されたコンテンツの情報に対応する各コンテンツ識別情報をハードディスクから削除する。
【００６５】
以上によると、コンテンツの情報をハードディスクから光ディスク２０へオートダビング処理またはムーブ処理によりダビングする際に、コンテンツの情報がハードディスクから削除されずに、ユーザアクセス可能なコンテンツ記録領域５ｂからユーザアクセス不可能なコンテンツ移動領域５ｃに移動されて、ハードディスクに保留された状態となる。このため、その後光ディスク２０に記録されたコンテンツの情報が劣化しても、コンテンツの情報を光ディスク２０から削除することで、削除されたコンテンツの情報に対応するコンテンツの情報がコンテンツ移動領域５ｃからコンテンツ記録領域５ｂに移動されて、コンテンツの情報をハードディスクに視聴可能に復活させることができる。
【００６６】
また、ユーザがアクセスして視聴可能なコンテンツの情報は、ハードディスクから光ディスク２０へダビングしたときは光ディスク２０に記録されたものだけになり、光ディスク２０から削除した後はハードディスクのコンテンツ記録領域５ｂに記録されたものだけになるというように、常に１つだけ存在することになる。このため、コピーワンス問題に抵触することもない。
【００６７】
また、ダビングする際にダビング対象のコンテンツの情報を移動させる空き領域がコンテンツ移動領域５ｃに無い場合でも、画面表示とリモコン操作によりユーザが削除を所望するコンテンツの情報をコンテンツ移動領域５ｃから削除でき、ダビング対象のコンテンツの情報をコンテンツ移動領域５ｃへ移動させることができ、ダビング後にコンテンツ記録領域５ｂに復活させることもできる。
【図面の簡単な説明】
【００６８】
【図１】は、本発明に係る記録再生装置のブロック図である。
【図２】は、ＨＤＤに内蔵されるハードディスクの録画領域を示す図である。
【図３】は、ハードディスクの録画領域における領域配分設定用の画面例である。
【図４】は、本発明に係る記録再生装置が実行するオートダビング処理に関するフローチャートである。
【図５】は、コンテンツ移動領域に移動用の空き容量が無い場合に表示される画面例である。
【図６】は、コンテンツ移動領域に移動用の空き容量が無い場合に表示される画面例である。
【図７】は、コンテンツ移動領域に移動用の空き容量が無い場合に表示される画面例である。
【図８】は、本発明に係る記録再生装置が実行するムーブ処理に関するフローチャートである。
【図９】は、本発明に係る記録再生装置が実行するコンテンツ復活処理に関するフローチャートである。
【符号の説明】
【００６９】
１    制御部
２    メモリ
３    信号処理部
４    チューナ
５    ＨＤＤ
６    光ディスクドライブ
７    メモリインタフェイス
８    表示部
９    操作部
１０    記録再生装置
１１    リモコン受信部
１２    リモコン
１２    チューナ
２０    光ディスク
３０    外部メモリ
４０    テレビ
【図１】
2008165945.tif 000003
【図２】
2008165945.tif 000004
【図３】
2008165945.tif 000005
【図４】
2008165945.tif 000006
【図５】
2008165945.tif 000007
【図６】
2008165945.tif 000008
【図７】
2008165945.tif 000009
【図８】
2008165945.tif 000010
【図９】
2008165945.tif 000011